(57)【要約】  【課題】  故人のポートレート写真等を焼き付けたセラミックス板を、略永久的に保存することのできる墓宮を提案する。  【解決手段】  石材からなる基台１１と、基台１１に載置されて前後左右の壁部分からなる石材製の本体１４と、本体１４の上に載置されて屋根形状をした石材からなる屋根部１９と、基台１１の上面に敷設された敷板１３と、敷板１３に立てかけられるとともに故人のポートレート写真等を焼き付けたセラミックス板１２とを備える。さらに、本体１４のいずれかの壁部分に開口部１５を形成するとともに開口部１５の下端に内側が低くなる傾斜面１６を形成しておき、開口部１５に内接する形状をした蓋１８を外側斜め上方から開口部１５に挿着して開口部１５を閉塞可能にする。【選択図】  図３
0003113816.tif 000002
【実用新案登録請求の範囲】
【請求項１】
石材からなる基台と、該基台に載置されて前後左右の壁部分からなる石材製の本体と、該本体の上に載置されて屋根形状をした石材からなる屋根部と、前記基台の上面に敷設されるとともに上面に適間隔をおいて複数の凸条が突設された敷板と、故人のポートレート写真等を焼き付けて前記敷板の上に載置されたセラミックス板とを備えたことを特徴とする墓宮。
【請求項２】
請求項１に記載の墓宮において、
前記本体のいずれかの壁部分に開口部を形成するとともに該開口部の下端に内側が低くなる傾斜面を形成しておき、前記開口部に内接する形状をした蓋を外側斜め上方から前記開口部に挿着して前記開口部を閉塞可能にしたことを特徴とする墓宮。
【考案の詳細な説明】
【技術分野】
【０００１】
本考案は、墓地において、従来の墓石に代えて設置される墓宮に関し、詳しくは、地下部分に納骨室を設けておき、その地上部分に家の形をした墓宮を設置し、その内部に個人の経歴や写真を焼き付けたセラミックス板を収納するようにした墓宮に関する。
【背景技術】
【０００２】
従来の墓では、墓誌銘として、故人の氏名、戒名、没年月日、享年等が記載されているだけで、故人の生前の功績、人柄等を偲ぶことのできる記載がされることはほとんどなかった。そのため、故人の生前を知る子や孫位までは、墓参の際に、故人の在りし日を偲ぶことができる。しかし、故人の生前を知らない、４代、５代先の子孫にとっては、その故人を偲ぶための縁（よすが）が少ないため、ご先祖としての実感が乏しいのが現実である。そのため、故人のポートレート写真等を墓地に設置することを可能にした特許文献１に記載の「墓所用石材加工品」が提案されている。
【０００３】
これは、墓に対する慈しみの気持ちや、墓参りして供養する気持ちを起こさせるために、個人の好みに応じて個々の墓に個性や独自性を出せるようにすると共に、墓所全体に従来にないモダンで明るい雰囲気を醸し出せるようにしたものである。すなわち、墓所に設置する墓石や墓誌石などの石材１の表面に掘り込み面２が形成され、その掘り込み面２に、無機質の釉薬で表面に故人のポートレート写真などの写真画像を焼き付けたセラミックス板３が嵌め込まれて、シーリング材にもなるゴム弾性を有した接着剤５などで接着されている。
【特許文献１】登録実用新案公報第３０１６１３４号
【考案の開示】
【考案が解決しようとする課題】
【０００４】
しかしながら、上述した特許文献１に記載の「墓所用石材加工品」は、写真画像を焼き付けたセラミックス板３が、墓所の墓石等の表面に嵌め込まれるため、セラミックス板の写真の面が直接、風雨や紫外線に曝されることになる。セラミックス板であるため、風雨や紫外線に耐えることができるものの、５０年、１００年あるいはそれ以上の長期の年月の間に風化あるいは退色しないという保証はない。また、セラミックス板が外部に露出しているため、不心得物によりいたずらされて破損されないという保証もない。そこで、本考案は、故人のポートレート写真等を焼き付けたセラミックス板を、略永久的に保存することのできる墓宮を提案することを目的とした。
【課題を解決するための手段】
【０００５】
上記課題を解決するために、本考案の墓宮は、石材からなる基台と、該基台に載置されて前後左右の壁部分からなる石材製の本体と、該本体の上に載置されて屋根形状をした石材からなる屋根部と、前記基台の上面に敷設されるとともに上面に適間隔をおいて複数の凸条が突設された敷板と、故人のポートレート写真等を焼き付けて前記敷板の上に載置されたセラミックス板とを備えたことを特徴とする。さらに、前記本体のいずれかの壁部分に開口部を形成するとともに該開口部の下端に内側が低くなる傾斜面を形成しておき、前記開口部に内接する形状をした蓋を外側斜め上方から前記開口部に挿着して前記開口部を閉塞可能にしたことを特徴とする。
【考案の効果】
【０００６】
以上述べたように本考案によれば、故人のポートレート写真等を焼き付けたセラミックス板が、墓宮の内部に収納されるため、風雨や紫外線に曝されることがなく、略永久的に保存が可能となる。そのセラミックス板を視認したい場合は、本体部分の蓋を取り外すことで可能となる。また、本体内の基台上面の敷板の上には、順に、セラミックス板を追加でき、子孫末代までの使用が可能となる。
【０００７】
このように、縁ある祖先を永久保存加工なセラミックス板からなるパネル写真で残すことにより、祖先崇拝の念が生れ、家族の生きる真心の大切さを悟らせてくれる効果がある。また、墓に置く墓宮に写真を保存する事により、万が一に自宅が火災等に被災したときにも、先祖の写真を残すことができる。さらに、これからの時代は、同一家族でも異なる苗字となることがあり、家を単位とした代々墓所の形態が変わるものと思われるが、この墓宮はこれ等に対応したこれからのお墓のスタイルの一形態として期待できるものである。
【考案を実施するための最良の形態】
【０００８】
以下、図に基づいて本考案の実施形態を説明する。
図１は本考案に係る墓宮の第１の実施形態を示す斜視図であり、図２はその縦断面図である。これらの図において、１は石材からなる基台であり、基台１の上面外周の縁近くには一段低い段差が形成され、その段差部分に、前後左右４面の壁面からなる石材製の本体４の下端部が嵌合されている。基台１の上面の本体４の内側部分に、樹脂製の敷板３が敷設されている。
【０００９】
敷板３の上面には凸条３ａが等間隔に突設されている。この凸条３ａの間に、故人のポートレート写真等を焼き付けたセラミックス板２が立てかけられている。本体４の上端には、屋根形状をした石材からなる屋根部５が、取り外し自在に載置されている。これら基台１、本体４および屋根部５の正面部分には、家紋を刻設することが可能である。この第１の実施形態の大きさは、間口３０ｃｍ、奥行き２５ｃｍ、高さ５０ｃｍ程度とすることが好ましく、その場合の重量は２０Ｋｇ前後となる。
【００１０】
このように構成された墓宮は、墓地に設置される。通常は、墓地の地下部分に納骨室を設けておき、墓地の広さに余裕がない場合はその納骨室の上にこの墓宮を設置する。墓地の広さに余裕がある場合は納骨室とは別な地上部分に墓宮を設置する。この墓地の所有者の一家の誰かが亡くなると、その故人の遺骨を、地下の納骨室に納めるとともに、その故人の遺影や功績、趣味、その他特筆すべき事項を焼き付けたセラミックス板２を予め作成しておき、墓宮の屋根部５を取り外して、敷板３の上にそのセラミックス板２を立てかける。次いで、屋根部５を再び、本体４に載置する。なお、納骨の際に、セラミックス板２の作成が間に合わなければ、墓宮への追加は後日であっても良い。
【００１１】
次に、本考案に係る墓宮の第２の実施形態について説明する。図３は、第２の実施形態の縦断面図である。第２の実施形態は、基台と屋根部が第１の実施形態と同一であり、本体のみが異なる。第１の実施形態では、屋根部５を取り外して、セラミックス板２を追加するようにしていたが、墓宮が小型の場合は、屋根部の重量が小さいためそれも可能であるが、墓宮を大型にした場合は、屋根部の重量が大きくなり、人力での取り外しが困難または危険になる。そこで、その場合は、図３の第２の実施形態のように、本体の４面の壁のうち１面に扉を設けるようにしたものである。
【００１２】
すなわち、図３において、１１は石材からなる基台であり、基台１１の上面外周の縁近くには一段低い段差が形成され、その段差部分に、前後左右４面の壁面からなる石材製の本体１４の下端部が嵌合されている。基台１１の上面の本体１４の内側部分に、樹脂製の敷板１３が敷設されている。敷板１３の上面には凸条１３ａが等間隔に突設されている。この凸条１３ａの間に、故人のポートレート写真等を焼き付けたセラミックス板１２が立てかけられている。本体１４の正面（図では左部分）には、矩形の開口部１５が穿設されている。開口部１５の下端には、内側が低くなる傾斜面１６が形成されている。同じく、開口部１５の上端には、内側が低くなる傾斜面１７が形成されている。
【００１３】
開口部１５には、開口部１５に内接する形状として断面平行四辺形をした蓋１８を外側斜め上方から挿着して開口部１５を閉塞可能にしている。蓋１８は、その上下端が、傾斜面１６，１７により支持されるため確実に保持され、地震に対しても蓋１８が外れることがない。本体１４の上端には、屋根形状をした石材からなる屋根部１９が載置されている。これら基台１１、本体１４および屋根部１９の正面部分には、家紋を刻設することが可能である。この第２の実施形態の大きさは、間口１００ｃｍ、奥行き８２．５ｃｍ、高さ１６７ｃｍ程度とすることが好ましく、その場合の重量は５００Ｋｇ前後となる。この実施形態では、セラミックス板１２の追加は、蓋１８を取り外して行う。
【００１４】
図４は、図２におけるセラミックス板２および図３におけるセラミックス板１２の具体例を示す図である。図４は、セラミックス板の表面を示し、故人のポートレート写真と氏名を焼き付けたものである。この表面には、紫外線遮断のコーティングを施すことも可能であり、そうすることで写真の経年変色を確実に防止することが可能となる。また、裏面には、生存記録、功績その他、従来の墓誌銘に相当する事項を記載する。この記載についても、経年変色することがないように、特殊処理をしておくか、または、刻字しておくことが好ましい。なお、セラミックス板の大きさは、１４．５ｃｍ×１１ｃｍ程度が好ましい。
【００１５】
このように、本考案の墓宮では、故人の遺影や功績、墓誌事項等をセラミックス板に焼き付けて石材からなる墓宮に保存するようにしたことで、セラミックス板に焼き付けられた記載内容が略永久に、保存可能となり、墓本来の目的である、遺骨を収納するとともに、故人の生存していたという事実を記録にとどめて追悼するという目的が全うできる。なお、上述した実施形態では、セラミックス板を用いているが、陶板に焼き付けたものや、ステンレス、アルミ等の金属板に焼き付けたものであってもよい。
【産業上の利用可能性】
【００１６】
本考案は、旧来からの墓地に、追加して設置することができるとともに、新規に墓地を設ける場合に墓石の代わりに設置することができる。
【図面の簡単な説明】
【００１７】
【図１】本考案に係る墓宮の第１の実施形態を示す斜視図である。
【図２】図１の縦断面図である。
【図３】本考案に係る墓宮の第２の実施形態を示す縦断面図である。
【図４】図２および図３におけるセラミックス板の具体例を示す図である。
【符号の説明】
【００１８】
１  基台
２  セラミックス板
３  敷板
３ａ  凸条
４  本体
５  屋根部
１１  基台
１２  セラミックス板
１３  敷板
１３ａ  凸条
１４  本体
１５  開口部
１６  傾斜面
１７  傾斜面
１８  蓋
１９  屋根部
【図１】
0003113816.tif 000003
【図２】
0003113816.tif 000004
【図３】
0003113816.tif 000005
【図４】
0003113816.tif 000006